(57)【要約】      （修正有）【課題】環境に優しく、効率のよい、ＣＯ２を排出しない発電システムを提供する。【解決手段】窒素、酸素、水素、アルゴン、ヘリウム、二酸化炭素、ネオンの群より選択される物質を使い、プラズマを発生させ、電子の反発と水蒸気爆発を利用し、ピストンやフライホイールを作動させ、自動車などのエンジンを駆動させる。ブランケットを回転させてコリオリの力を発生させる事で、プラズマは、原始恒星が形成されたように球体になる。プラズマが球体になることで回転している軸から磁場が発せられ、ローレンツ力により電子は回転し、原始恒星が誕生する際に、塵などの物質が回転する原動力になっていると考察できる。前記物理現象により、恒星や惑星は自転すると考察でき、ローレンツ力によって球体のプラズマは成長し安定して回転する。球体のプラズマはブランケットの中心部で回転することでブランケットの破損を防ぐ。【選択図】図１６
2012241703.tif 000002
【特許請求の範囲】
【請求項１】
窒素、酸素、水素、アルゴン、ヘリウム、二酸化炭素、ネオンの群より選択される物質を使い、プラズマを発生させ、装置内に発生させた負の電荷の電子と、負の電荷の電子を衝突させ、前記電子の反発（クーロン力）及び水蒸気爆発を利用し、ピストンやフライホイールを作動させ、自動車などのエンジンを駆動させる手段として使用するプラズマ装置。なお、物質は、前記物質に限ることなく、電離によりプラズマになる気体であれば任意のものを用いることができる。
【請求項２】
請求項１記載のプラズマ装置において、正の電荷のイオンと正の電荷のイオンを衝突させ、前記イオンの反発を利用し、ピストンやフライホイールを作動させ、自動車などのエンジンを駆動させる手段として使用するプラズマ装置。
【請求項３】
請求項１記載のプラズマ装置のプラズマ発射口において、前記電子の衝突の制度を上げるため、マイクロ波を発射するアンテナと、発生したマイクロ波により電磁石として機能するコイルを内蔵して、磁界を手段として利用し、電子誘導を実施するプラズマ発射装置。
【請求項４】
請求項１記載のプラズマ装置において、フライホイールに代えてブランケットを備えたプラズマ装置。ブランケットを回転させ、コリオリの力を利用して球体のプラズマをブランケットの中心部に発生させる。球体のプラズマが発する磁場で、電子の動きを制御する。前記、球体のプラズマの熱と電子を利用して発電するプラズマ装置。なお、従来の核融合発電で発生する超高密度プラズマでも用いることができる。
なお、従来の核融合発電で発生する超高密度プラズマの場合は、磁場と電子量の影響が多く、電子の回転する速度が速いため、ブランケットを回転させなくてもプラズマは、ブランケットの中心部で回転して球体になる。
【請求項５】
請求項４記載のプラズマ装置において、プラズマ発射口から、窒素、酸素、水素、アルゴン、ヘリウム、二酸化炭素、ネオンの群より選択される物質と砂鉄、スズ、金の群より選択される物質を混合し、電離してプラズマを発生させるプラズマ装置。なお、物質は、前記物質に限ることなく、粉末状の物質であれば任意のものを用いることができる。
【請求項６】
請求項４記載のプラズマ装置において、装置内をカソードとアノードとして機能させ、プラズマ発射口から発生するプラズマの熱を利用し、カソードを加熱して、熱電子を放出させ、負の電子をアノードに向かって進行させて、マグネトロンと同様の効果を実施してマイクロ波を発生させ本発明のプラズマ発生に再利用する装置。なお磁場の影響を与えるためフェライト磁石を利用して、負の電子をフレミングの法則で装置の空間を周回させる。
【請求項７】
請求項４記載のプラズマ装置において、気体注入口から窒素、酸素、水素、アルゴン、ヘリウム、二酸化炭素、ネオンの群より選択される気体を送り、プラズマ発射口からプラズマを発生させ、ブランケット中央部にプラズマ球を形成し、プラズマ球から発せられる電子を電子入力コイルに帯電させ、蓄電池に電子を送り、蓄電池を充電する装置。
【請求項８】
請求項４記載のプラズマ装置において、プラズマ球によって熱せられたブランケットで循環液を加熱し、加熱された循環液を、循環ポンプを移動手段としてターボタービンに送り、循環液を回転手段としてターボタービンを回転させて、電力に変換する装置。
【請求項９】
本発明のプラズマ装置において、フライホイールに代えてシリンダーに設けた噴射装置から水をシリンダー内に噴射し、プラズマ発射口からプラズマを発生させ、プラズマの熱で水を水蒸気爆発させて、ピストンを移動させ、コンロッドを駆動する装置。
【請求項１０】
請求項９記載のプラズマ装置において、プラズマ発射口を設けたピストンを平行に配置して、装置に設けた噴射装置から水を装置内に噴射し、プラズマ発射口を設けたピストンのプラズマ発射口からプラズマを発生させ、プラズマの熱で水を水蒸気爆発させて、ピストンを移動させ、コンロッドを駆動する装置。
【請求項１１】
本発明のプラズマ装置において、リチウムイオン電池のセパレータの部分にフライホイールを内蔵し、カーボン材料から形成されている負極にプラズマ発射口からプラズマを直接照射し、リチウムイオン電池にイオンを送り、リチウムイオン電池を充電する装置
【発明の詳細な説明】
【技術分野】
【０００１】  本発明は、窒素、酸素、水素、アルゴン、ヘリウム、二酸化炭素、ネオンの群より選択される物質を使い、プラズマを発生させ、装置内に発生させた負の電荷の電子と、負の電荷の電子を衝突させ、前記電子の反発及び水蒸気爆発を利用し、ピストンやフライホイールを作動させるプラズマ装置。及び「従来の核融合発電で発生する超高密度プラズマ」や「窒素、酸素、水素、アルゴン、ヘリウム、二酸化炭素、ネオンの群より選択される物質を電離して発生させるプラズマ」を使い、磁石でブランケットを回転させ、コリオリの力を利用して球体のプラズマをブランケットの中心部に発生させる。前記、球体のプラズマが発する磁場で、電子の動きを制御する。前記、球体のプラズマの熱と電子を利用したプラズマ装置である。
【背景技術】
【０００２】  プラズマをエンジンの効率を良くするために使っている技術は存在している。プラズマ（ｐｌａｓｍａ）は一般には電離した気体のことを指す。通常の気体を構成する中性分子が電離し、正の電荷をもつイオンと負の電荷をもつ電子とに別れて自由に飛び回っている。全体として電気的に中性な物質である。しかし、構成粒子が電荷をもつため、粒子運動がそれ自身のつくり出す電磁場と相互作用を及ぼしあうことにより、通常の分子からなる気体とは大きく異なった性質をもつ、そのためプラズマは物質の三態、すなわち「固体」「液体」「気体」とは異なった、物質の第四態といわれることもある。レッドスプライトとは、雷雲上の中間圏で起こる発光現象であり、単に「スプライト」とも呼ばれる（以下「スプライト」と書く）。中間圏発光現象の１つである。この現象は現在謎だが、航空機を一撃で破壊するエネルギーを持っている。雷とは全く別の発光現象ではあるが、雷（雷放電）に付随して発光するといわれている。スプライトは、アメリカのＦｒａｎｚらが１９８９年に夜間ビデオカメラの較正をしていた時に偶然に撮影してしまった発光現象である。その色（ｒｅｄ）と妖精（ｓｐｒｉｔｅ）のようにひょっこり姿を現すことから、「レッドスプライト」と呼ばれるようになった。しかし、理論としてはチャールズ・ウィルソンが提唱していたが当時はカメラも高性能ではなく、たとえ目撃しても目の錯覚だといわれていた。Ｆｒａｎｚらの発見後、様々な科学者により盛んに研究され、実像が明らかになりつつある。色は赤色で、高度約５０〜８０ｋｍで発光し、垂直方向の大きさは２０ｋｍ程度、水平方向の大きさは数ｋｍ〜７０ｋｍ程度である。スペクトル解析によると、窒素分子のｆｉｒｓｔ  ｐｏｓｉｔｉｖｅ  ｂａｎｄが支配的であることから、窒素分子がその発光に寄与していることが分かった。
【先行技術文献】
【特許文献】
【０００３】
【特許文献１】特開２００９−１７４４１０号公報
【非特許文献】
【０００４】
【非特許文献１】システムの形状はエニアグラムを参考にしている。  荷電粒子が一様な外部磁場によるローレンツ力だけを受けて運動する時に働く力は常に磁場に垂直であるから、この粒子の磁場に平行な方向の運動にはまったく磁場の影響は表れない。したがって（重力などのそれ以外の力が働かない限り）、磁場に平行な方向には荷電粒子は等速運動する。
その他の参考理論「アンペールの法則」「静電ポテンシャル」「ファラデーの法則」「コンプトン効果」
【発明の概要】
【発明が解決しようとする課題】
【０００５】  環境に優しく、効率のよい自動車技術は、ガソリン自動車の存在が限界に達した現在、不可欠である。現在のイオンエンジンは、真空の状態でなければ機能しない。本発明の典型的な技術は、大気中に多く含まれる窒素などを利用し、プラズマを発生させ、クーロン力が及ぼす静電加速を利用し、エンジンのシリンダー内のピストン、及びフライホイールを作動させることで自動車、飛行機、船、バイクのエンジン及び発電機として利用する。前記により、環境に優しく、燃料コストを抑えることが出来るため、環境対策技術で優位な発明である。【０００６】  現在、使われている電気自動車は充電や発電に手間やコストのリスクがある。
また電気自動車特有の静かさによって、歩行者が気付きにくいなど、電気自動車特有の欠点も指摘されている。そのため完全にクリーンで、エンジン音が発生し、またコストが低い燃料を使ったエンジンが必要である。【０００７】  温暖化や環境汚染による問題を解決するためＣＯ２を排出しない新たな発電システムが必要である。核融合発電の課題である「安全性」「効率」「容器が溶ける」などの欠点を克服するため新たなプラズマを使った発電システムが必要である。
【課題を解決するための手段】
【０００８】  本発明は、窒素、酸素、水素、アルゴン、ヘリウム、二酸化炭素、ネオンの群より選択される物質を使い、プラズマを発生させ、装置内に発生させた負の電荷の電子と、負の電荷の電子を衝突させ、前記電子の反発（クーロン力）及び水蒸気爆発を利用し、ピストンやフライホイールを作動させ、自動車などのエンジンを駆動させる手段として使用するプラズマ装置。なお、物質は、前記物質に限ることなく、電離によりプラズマになる気体であれば任意のものを用いることができる。前記電子の衝突の制度を上げるため磁界を手段として利用し、電子誘導を実施する。レッドスプライトが発生する中間圏は大気密度が非常に低く、対流も少ない環境であり、前記、環境に近い環境を本発明の装置内で再現する。【０００９】  本発明は、請求項１記載のプラズマ装置において、正の電荷のイオンと正の電荷のイオンを衝突させ、前記イオンの反発を利用し、ピストンやフライホイールを作動させ、自動車などのエンジンを駆動させる手段として使用するプラズマ装置。なお、物質は、前記物質に限ることなく、電離によりプラズマになる気体であれば任意のものを用いることができる。【００１０】  本発明は、請求項１記載のプラズマ装置のプラズマ発射口において、前記電子の衝突の制度を上げるため、マイクロ波を発射するアンテナと、発生したマイクロ波により電磁石として機能するコイルを内蔵して、磁界を手段として利用し、電子誘導を実施するプラズマ発射装置。アンテナの先端から発射されるマイクロ波によって、気体は電離してプラズマが発生する。発生したプラズマは、コイルの磁力線に巻き付くようにらせん運動して移動する。【００１１】  本発明は、請求項１記載のプラズマ装置において、フライホイールに代えてブランケットを備えたプラズマ装置。ブランケットを回転させ、コリオリの力を利用して球体のプラズマをブランケットの中心部に発生させる。球体のプラズマが発する磁場で、電子の動きを制御する。前記、球体のプラズマの熱と電子を利用して発電するプラズマ装置。なお、従来の核融合発電で発生する超高密度プラズマでも用いることができる。なお従来の核融合発電で発生する超高密度プラズマの場合は、磁場と電子量の影響が多く、電子の回転する速度が速いため、ブランケットを回転させなくてもプラズマは、ブランケットの中心部で回転して球体になる。【００１２】  本発明は、請求項４記載のプラズマ装置において、プラズマ発射口から、窒素、酸素、水素、アルゴン、ヘリウム、二酸化炭素、ネオンの群より選択される物質と砂鉄、スズ、金の群より選択される物質を混合し、電離してプラズマを発生させるプラズマ装置。なお、物質は、前記物質に限ることなく、粉末状の物質であれば任意のものを用いることができる。ケプラーの第三法則で示されているように、回転しているプラズマの中心部は、外側よりも早く回転するため、周囲のプラズマを引き寄せる。回転しているプラズマは原始恒星が形成されたように球体になる。プラズマが球体になることで回転している軸から磁場が発せられ、ローレンツ力により電子は回転する。前記は、原始恒星が誕生する際に、麈などの物質が回転する原動力になっていると考察できる。前記物理現象により、��星や惑星は自転すると考察でき、前記ローレンツ力によって球体のプラズマは成長し安定して回転する。球体のプラズマはブランケットの中心部で回転することでブランケットの破損を防ぐ。【００１３】  本発明のプラズマ装置において、装置内をカソードとアノードとして機能させ、プラズマ発射口から発生するプラズマの熱を利用し、カソードを加熱して、熱電子を放出させ、負の電子をアノードに向かって進行させて、マグネトロンと同様の効果を実施してマイクロ波を発生させ本発明のプラズマ発生に再利用する装置。なお磁場の影響を与えるためフェライト磁石を利用して、負の電子をフレミングの法則で装置の空間を周回させる。前記により外部電力を節約でき、ハイブリットのプラズマ発生装置を実現できる。【００１４】  本発明のプラズマ装置において、気体注入口から窒素、酸素、水素、アルゴン、ヘリウム、二酸化炭素、ネオンの群より選択される気体を送り、プラズマ発射口からプラズマを発生させ、ブランケット中央部にプラズマ球を形成し、プラズマ球から発せられる電子を電子入力コイルに帯電させ、蓄電池に電子を送り、蓄電池を充電する装置。ローレンツ力により、磁力線の方向と電子の方向が決定し、電子入力コイルに電子が帯電する。【００１５】  本発明は、請求項７記載のプラズマ装置において、プラズマ球によって熱せられたブランケットで循環液を加熱し、加熱された循環液を、循環ポンプを移動手段としてターボタービンに送り、循環液を回転手段としてターボタービンを回転させて、電力に変換する装置。プラズマ球によって熱せられたブランケットで循環液を加熱し、循環ポンプを利用してターボタービンを回転させ、電力に変換する。【００１６】  本発明のプラズマ装置において、フライホイールに代えてシリンダーに設けた噴射装置から水をシリンダー内に噴射し、プラズマ発射口からプラズマを発生させ、プラズマの熱で水を水蒸気爆発させて、ピストンを移動させ、コンロッドを駆動する装置。前記により、ガソリン自動車の部品を利用して、クリーンな次世代のプラズマエンジンを搭載した自動車を実現できる。【００１７】  本発明の、請求項９記載のプラズマ装置において、プラズマ発射口を設けたピストンを平行に配置して、装置に設けた噴射装置から水を装置内に噴射し、プラズマ発射口を設けたピストンのプラズマ発射口からプラズマを発生させ、プラズマの熱で水を水蒸気爆発させて、ピストンを移動させ、コンロッドを駆動する装置。前記により水平対向型のプラズマエンジンを実現できる。【００１８】  本発明のプラズマ装置において、リチウムイオン電池のセパレータの部分にフライホイールを内蔵し、カーボン材料から形成されている負極にプラズマ発射口からプラズマを直接照射し、リチウムイオン電池にイオンを送り、リチウムイオン電池を充電する装置。前記により、リチウムイオン電池の充電時間を瞬時に行なうことが可能になる。【００１９】  本発明は発電所や自動車などのエンジンとして使用する発明である。また、装置内で電子を効率よく移動させる手段として装置内を真空状態にする。本発明により、全く新しいプラズマの利用が可能になり、プラズマによる発電及び充電を実現する。
【発明の効果】
【００２０】  本発明によれば、発電および充電として使用できるため、自動車やバイク、及び発電所やバッテリーとして利用でき、自動車関連、電気関連など全世界で多くの需要が期待できる。
【図面の簡単な説明】
【００２１】
【図１】本発明の実施形態において、回転するフライホイール（実施例１）の斜面図である。
【図２】本発明の実施形態において、回転するフライホイールを設置する装置の横断面図である。
【図３】本発明の実施形態において、回転するフライホイールを設置する装置の縦断面図である。
【図４】本発明の実施形態において、回転するフライホイールに歯車を備えた斜面図である。
【図５】本発明の実施形態において、図４を設置する装置の縦断面図である。
【図６】本発明の実施形態において、図３の（実施例２）の縦断面図である。
【図７】本発明の実施形態において、プラズマ発射口１７の仕組みを示す構成図である。
【図８】本発明の実施形態、図７記載のプラズマ発射口において、さらにコイルを設けたプラズマ発射口の仕組みを示す構成図である。
【図９】本発明の実施形態において、プラズマ発射口をエンジンのシリンダーに設置する（実施例３）の構成図。
【図１０】本発明の実施形態において、プラズマ発射口を設けたピストンを平行に配置して、プラズマを正面衝突させる（実施例４）の横断面図である。
【図１１】本発明の実施形態において、発生するクーロン力を、図１０を参考にして説明する図である。
【図１２】本発明の実施形態において、フライホイールが回転する仕組みを示した構成図である。
【図１３】本発明の実施形態において、リチウムイオン電池の充電に利用する構成図である。
【図１４】本発明の実施形態において、フライホイール（実施例１）をリチウムイオン電池の充電に利用する装置の断面図である。
【図１５】本発明の実施形態において、回転するフライホイールの内部の構成図である。
【図１６】本発明の実施形態において、回転するフライホイールを半球型回転ブランケットとして利用する（実施例５）の構成図である。
【図１７】本発明の実施形態（実施例５）において、発生する作用を説明する図である。
【図１８】本発明の実施形態（実施例５）の横断面図であり、プラズマがコリオリの力で曲がり中央にプラズマ球を発生させる構成図である。
【図１９】本発明の実施形態（実施例５）の内部斜面図である。
【図２０】本発明の実施形態（実施例５）の電子入力コイルとコイル内の構成図である。
【図２１】本発明の回転するフライホイール（実施例１）において、さらにマグネトロンを設け、マイクロ波の発生を外部電力だけに頼らずハイブリット化する装置（実施例６）の横断面図である。
【図２２】本発明の回転するフライホイール（実施例１）において、さらにマグネトロンを設け、マイクロ波の発生を外部電力だけに頼らずハイブリット化する装置（実施例７）の横断面図である。
【図２３】本発明の回転するフライホイール（実施例１）において、さらにマグネトロンを設け、マイクロ波の発生を外部電力だけに頼らずハイブリット化する装置（実施例６）の縦断面図である。
【図２４】本発明の回転するフライホイール（実施例１）において、さらにマグネトロンを設け、マイクロ波の発生を外部電力だけに頼らずハイブリット化する装置（実施例７）の縦断面図である。
【図２５】本発明の図７において、さらに水移動用パイプ２７を設けたプラズマ発射口１７の仕組みを示す構成図である。
【図２６】本発明の回転するフライホイール（実施例５）において、さらにマグネトロンを設け、マイクロ波の発生を外部電力だけに頼らずハイブリット化する装置（実施例８）の構成図である。
【図２７】本発明の図２５の縦断面図である。
【図２８】本発明の図２５の立面図である。
【図２９】本発明の図２５のプラズマ１８が発生する側の立面図である。
【図３０】本発明の回転するフライホイール（実施例５）において、さらにマグネトロンを設け、マイクロ波の発生を外部電力だけに頼らずハイブリット化する装置（実施例８）の横断面図である。
【図３１】本発明の図３２の回転用磁石とブランケット浮上用磁石の構成図である。
【図３２】本発明の図１６において、回転用磁石とブランケット浮上用磁石を二重に装着した例の縦断面図である。
【発明を実施するための形態】
【００２２】  以下、本発明の実施形態につき、図面を参照して説明する。
図１は、本発明の実施形態において、回転するフライホイール（実施例１）の斜面図である。
磁石１は、フライホイール（実施例１）を磁力の反発を利用して浮上させ、回転させる手段として利用する。気体注入口８は、窒素、酸素、水素、アルゴン、ヘリウム、二酸化炭素、ネオンの群より選択される物質１５をプラズマ発射口１７に送る手段として利用する。
フライホイール（実施例１）は、プラズマ発射口１７からプラズマを噴射して回転する。
【００２３】  図２は、本発明の実施形態において、回転するフライホイール（実施例１）を設置する装置の横断面図である。
窒素、酸素、水素、アルゴン、ヘリウム、二酸化炭素、ネオンの群より選択される物質１５は、気体注入口８とパイプ１６を移動手段として、フライホイール（実施例１）２のプラズマ発射口１７に送られる。送られた窒素、酸素、水素、アルゴン、ヘリウム、二酸化炭素、ネオンの群より選択される物質１５は、プラズマ発射口１７のアンテナから発せられるマイクロ波により電離し、プラズマを形成する。
窒素、酸素、水素、アルゴン、ヘリウム、二酸化炭素、ネオンの群より選択される物質１５は、フライホイール（実施例１）を設置する装置３のパイプ１６を移動手段として、フライホイール（実施例１）を設置する装置３のプラズマ発射口１７に送られる。送られた窒素、酸素、水素、アルゴン、ヘリウム、二酸化炭素、ネオンの群より選択される物質１５は、プラズマ発射口１７のアンテナから発せられるマイクロ波により電離し、プラズマを形成する。
前記、フライホイール（実施例１）２のプラズマ発射口１７から形成されるプラズマと、フライホイール（実施例１）を設置する装置３のプラズマ発射口１７から形成されるプラズマは装置内の空間で衝突する。前記で衝突したプラズマは、同じ電荷であるため反発する力が発生し、固定されていないフライホイール（実施例１）２は回転する。装置内を真空にして、前記の反発する力を連続して発生させる。前記の手段により、フライホイール（実施例１）２は、加速して効率よく回転する。
【００２４】  図３は、本発明の実施形態において、回転するフライホイールを設置する装置の縦断面図である。
フライホイール（実施例１）２とフライホイール（実施例１）を設置する装置３の磁石１は、Ｓ極とＳ極、またはＮ極とＮ極が向き合うように設置する。前記により、磁力で反発し、フライホイール（実施例１）２は宙に浮かび、フライホイール（実施例１）を設置する装置３との摩擦を軽減する。窒素、酸素、水素、アルゴン、ヘリウム、二酸化炭素、ネオンの群より選択される物質１５は、気体注入口８とパイプ１６を移動手段として、フライホイール（実施例１）２のプラズマ発射口１７に送られる。送られた窒素、酸素、水素、アルゴン、ヘリウム、二酸化炭素、ネオンの群より選択される物質１５は、プラズマ発射口１７のアンテナから発せられるマイクロ波により電離し、プラズマを形成する。
窒素、酸素、水素、アルゴン、ヘリウム、二酸化炭素、ネオンの群より選択される物質１５は、フライホイール（実施例１）を設置する装置３のパイプ１６を移動手段として、フライホイール（実施例１）を設置する装置３のプラズマ発射口１７に送られる。
送られた窒素、酸素、水素、アルゴン、ヘリウム、二酸化炭素、ネオンの群より選択される物質１５は、プラズマ発射口１７のアンテナから発せられるマイクロ波により電離し、プラズマを形成する。
前記、フライホイール（実施例１）２のプラズマ発射口１７から形成されるプラズマと、フライホイール（実施例１）を設置する装置３のプラズマ発射口１７から形成されるプラズマは装置内の空間で衝突する。前記で衝突したプラズマは、同じ電荷であるため反発する力が発生し、固定されていないフライホイール（実施例１）２は回転する。装置内を真空にして、前記の反発する力を連続して発生させる。前記の手段により、フライホイール（実施例１）２は、加速して効率よく回転する。
【００２５】  図４は、本発明の実施形態において、回転するフライホイールに歯車を備えた斜面図である。
フライホイール（実施例１）２とフライホイール（実施例１）を設置する装置３の磁石１は、Ｓ極とＳ極、またはＮ極とＮ極が向き合うように設置する。前記により、磁力で反発し、フライホイール（実施例１）２は宙に浮かび、フライホイール（実施例１）を設置する装置３との摩擦を軽減する構造であり、フライホイール（実施例１）２に、軸５と歯車４が装着されている。窒素、酸素、水素、アルゴン、ヘリウム、二酸化炭素、ネオンの群より選択される物質１５は、気体注入口８とパイプ１６を移動手段として、フライホイール（実施例１）２のプラズマ発射口１７に送られる。前記、フライホイール（実施例１）２のプラズマ発射口１７から形成されるプラズマと、フライホイール（実施例１）を設置する装置３のプラズマ発射口１７から形成されるプラズマは装置内の空間で衝突する。前記で衝突したプラズマは、同じ電荷であるため反発する力が発生し、フライホイール（実施例１）２と直結している歯車４は回転する。
【００２６】  図５は、本発明の実施形態において、図４を設置する装置の縦断面図である。
フライホイール（実施例１）２とフライホイール（実施例１）を設置する装置３の磁石１は、Ｓ極とＳ極、またはＮ極とＮ極が向き合うように設置する。前記により、磁力で反発し、フライホイール（実施例１）２は宙に浮かび、フライホイール（実施例１）を設置する装置３との摩擦を軽減する構造であり、フライホイール（実施例１）２に、軸５と歯車４が装着されている。
窒素、酸素、水素、アルゴン、ヘリウム、二酸化炭素、ネオンの群より選択される物質１５は、気体注入口８とパイプ１６を移動手段として、フライホイール（実施例１）２のプラズマ発射口１７に送られる。前記、フライホイール（実施例１）２のプラズマ発射口１７から形成されるプラズマと、フライホイール（実施例１）を設置する装置３のプラズマ発射口１７から形成されるプラズマは装置内の空間で衝突する。前記で衝突したプラズマは、同じ電荷であるため反発する力が発生し、フライホイール（実施例１）２と直結している歯車４は回転する。
【００２７】図６は、本発明の実施形態において、図３の実施例２の縦断面図である。
フライホイール（実施例１）２とフライホイール（実施例１）を設置する装置３の磁石１は、Ｓ極とＳ極、またはＮ極とＮ極が向き合うように設置する。前記により、磁力で反発し、フライホイール（実施例１）２は宙に浮かび、フライホイール（実施例１）を設置する装置３との摩擦を軽減する構造である。
窒素、酸素、水素、アルゴン、ヘリウム、二酸化炭素、ネオンの群より選択される物質１５は、気体注入口８とパイプ１６を移動手段として、フライホイール（実施例２）２のプラズマ発射口１７に送られる。送られた窒素、酸素、水素、アルゴン、ヘリウム、二酸化炭素、ネオンの群より選択される物質１５は、プラズマ発射口１７のアンテナから発せられるマイクロ波により電離し、プラズマを形成する。
窒素、酸素、水素、アルゴン、ヘリウム、二酸化炭素、ネオンの群より選択される物質１５は、フライホイール（実施例２）を設置する装置３のパイプ１６を移動手段として、フライホイール（実施例２）を設置する装置３のプラズマ発射口１７に送られる。
送られた窒素、酸素、水素、アルゴン、ヘリウム、二酸化炭素、ネオンの群より選択される物質１５は、プラズマ発射口１７のアンテナから発せられるマイクロ波により電離し、プラズマを形成する。
前記、フライホイール（実施例２）２のプラズマ発射口１７から形成されるプラズマと、フライホイール（実施例２）を設置する装置３のプラズマ発射口１７から形成されるプラズマは装置内の空間で衝突する。前記で衝突したプラズマは、同じ電荷であるため反発する力が発生し、固定されていないフライホイール（実施例２）２は回転する。装置内を真空にして、前記の反発する力を連続して発生させる。前記の手段により、フライホイール（実施例２）２は、フライホイール（実施例１）２よりも加速して効率よく回転する。
【００２８】  図７は、本発明の実施形態において、プラズマ発射口１７の仕組みを示す構成図である。
プラズマ発射口１７は、マイクロ波２６を発射するアンテナ２０が内蔵されている。
窒素、酸素、水素、アルゴン、ヘリウム、二酸化炭素、ネオンの群より選択される物質１５は、矢印の方向に移動し、アンテナの先端１９から発射されるマイクロ波２６によって電離してプラズマ１８になる。発生したプラズマ１８は、磁石２２の磁力線に巻き付くようにらせん運動し、矢印の方向に移動する。
【００２９】  図８は、本発明の実施形態、図７記載のプラズマ発射口において、さらにコイルを設けたプラズマ発射口の仕組みを示す構成図である。
プラズマ発射口１７は、マイクロ波２６を発射するアンテナ２０と、発生したマイクロ波により電磁石として機能するコイル２１が内蔵されている。
窒素、酸素、水素、アルゴン、ヘリウム、二酸化炭素、ネオンの群より選択される物質１５は、矢印の方向に移動し、アンテナの先端１９から発射されるマイクロ波２６によって電離してプラズマ１８になる。発生したプラズマ１８は、磁石２２とコイル２１の磁力線に巻き付くようにらせん運動し、矢印の方向に移動する。
【００３０】  図９は、本発明の実施形態において、プラズマ発射口をエンジンのシリンダーに設置する（実施例３）の構成図であり、シリンダーに噴射装置７とプラズマ発射口１７が設けられている。
シリンダーに設けた噴射装置７から水２３をシリンダー内に噴射し、プラズマ発射口１７からプラズマ１８を発生させ、プラズマ１８の熱で水２３を水蒸気爆発２４させる。
前記作用により、ピストン９は矢印の方向に移動する。
【００３１】  図１０は、本発明の実施形態において、プラズマ発射口を設けたピストンを平行に配置して、プラズマを正面衝突させる（実施例４）の横断面図である。
ピストン９は、パイプ（気体を移動させる手段に使う管）１６から送られてくる窒素、酸素、水素、アルゴン、ヘリウム、二酸化炭素、ネオンの群より選択される物質１５をプラズマ発射口に送るため、円錐状の空間２５が設けられている。なお２つのピストン９は、平行に配置する。
装置に設けた噴射装置７から水２３を装置内に噴射し、プラズマ発射口を設けたピストン９のプラズマ発射口１７からプラズマ１８を発生させ、プラズマ１８の熱で水２３を水蒸気爆発２４させる。
前記作用により、平行に配置された２つのピストン９は、それぞれ矢印の方向に移動して、コンロッド１０が駆動する。
【００３２】  図１１は、本発明の実施形態において、発生するクーロン力を、図１０を参考にして説明する図である。
ピストン９のプラズマ発射口１７から発生したプラズマ１８は、熱で水２３を水蒸気爆発２４させる。また、プラズマ１８は、負の電荷１２を持っており、同じ符号の電荷は反発する。双方のプラズマ発射口１７から発生したプラズマ１８の負の電荷１２は、同じ符号であるため反発する特有の効果があり、ピストン９を１１の方向へ移動させる。
【００３３】  図１２は、本発明の実施形態において、フライホイールが回転する仕組みを示した構成図である。
Ａはフライホイール２とフライホイールを設置する装置３の横断面図であり、フライホイール２とフライホイールを設置する装置３の双方のプラズマ発射口１７から発生したプラズマ１８（負の電荷１２とプラスイオン１３）は、クーロン力１４によって反発し、フライホイール２を時計回り（１１の方向）に回転させる。
Ｂは、前記クーロン力１４によって作用する箇所を拡大した図である。
プラズマ１８を形成するプラスイオン１３と電子１２は、冷えると元に戻るが、装置内を常に高温に保つことで、プラズマ１８は装置内に蓄積され、プラズマ１８（電子１２とプラスイオン１３）はクーロン力１４を受け続けるため、低燃費でフライホイール２を回転させ続ける。
前記の結果、電気を効率よく発電する。
なおプラズマ１８が蓄積される装置内を酸化リチウムで構成することで、クーロン力の効率を向上させる。
【００３４】  図１３は、本発明の実施形態において、リチウムイオン電池の充電に利用する構成図である。
リチウムイオン電池は電子とイオンで充電し、前記の電子とイオンを放電させて電池として機能する。本発明のプラズマ発射口１７からプラズマ１８をカーボン材料から形成されている負極に直接照射し、リチウムイオン電池に充電する。プラズマはイオンと電子が分裂している状態であるため、プラズマ１８を照射することで負極に電子を充電できる。リチウムイオン電池の欠点の一つは「充電時間が長いこと」であり、本発明のプラズマ発射口１７を組み込むことで、前記課題を解決することができる。
【００３５】  図１４は、本発明の実施形態において、フライホイール（実施例１）２をリチウムイオン電池の充電に利用する装置の断面図である。
リチウムイオン電池のセパレータの部分にフライホイール（実施例１）２を内蔵し、負極板にプラズマ発射口１７からプラズマ１８を直接照射し充電する。
【００３６】  図１５は、本発明の実施形態において、回転するフライホイールの内部の構成図である。
窒素、酸素、水素、アルゴン、ヘリウム、二酸化炭素、ネオンの群より選択される物質１５は、パイプ１６を移動手段として、プラズマ発射口１７に送られる。
【００３７】  図１６は、本発明の実施形態において、回転するフライホイール２を半球型回転ブランケットとして利用する（実施例５）の構成図である。
装置内は真空である。「気体注入口８」から窒素、酸素、水素、アルゴン、ヘリウム、二酸化炭素、ネオンの群より選択される気体を送り、「プラズマ発射口１７」から「プラズマ１８」を発生させる。「半球型回転ブランケット」を「ブランケット浮上用磁石」で浮上させ「回転用磁石」で回転させる。
前記装置により、ブランケット中央部に「プラズマ球」が形成される。
「プラズマ球」から磁場が発せられブランケット内で電子は回転しながら「電子入力コイル」に帯電する。帯電した電子は効率よく「蓄電池」に蓄積される。
また、「プラズマ球」によって熱せられた「ブランケット」で循環液を加熱し「循環ポンプ」を利用して「ターボタービン」を回転させ、電力に変換させる。
【００３８】  図１７は、本発明の実施形態（実施例５）において、発生する作用を説明する図である。
「半球型回転ブランケット」を、磁石の反発する力を利用した「ブランケット浮上用磁石」を手段として浮上させ回転させる。
「プラズマ球」の上部をＮ極にするため「半球型回転ブランケット」を、時計回りに回転させ、コリオリの力を利用し「プラズマ球」を反時計回りに回転させる。前記の結果、ローレンツ力により、「磁力線の方向」と「電子の方向」が決定し、「電子入力コイル」に電子が帯電する。
プラズマ球は、球体になることで磁場が発生して、電子の流れに影響を与える。
「電子入力コイル」の巻き方を変更することで電圧は変更する。前記により、電子の流れを制御できる。制御することで、「電子入力コイル」の劣化を防止する。
また「電子入力コイル」の量を増やすことで「電子入力コイル」の劣化を防止する。
「電子入力コイル」を電子の移動手段として利用し「蓄電池」に電子を蓄積させる。
【００３９】  図１８は、本発明の実施形態（実施例５）の横断面図であり、プラズマ１８がコリオリの力で曲がり中央にプラズマ球を発生させる構成図である。
「半球型回転ブランケット」を、磁石の反発する力を利用した「ブランケット浮上用磁石」で浮上させ「回転用磁石」によって、時計回りに回転させる。
「プラズマ発射口１７」から発射された「プラズマ１８」はコリオリの力により、発射方向が反時計回りの方向に曲がる力を受けるため、プラズマ１８は回転する力を受けて中央に「プラズマ球」を形成させる。前記作用はケプラーの第三法則で説明できる。コリオリの力により中央に集まったプラズマ１８は、中心部の方が外側のプラズマよりも早く回るため、外側のプラズマが中央部に引き寄せられ球体を形成する。
なお、核融合発電の超高密度プラズマはエネルギーが高いためブランケットを回転させなくても電磁誘導によりプラズマ球を形成する。
【００４０】  図１９は、本発明の実施形態（実施例５）の内部斜面図である。
「気体注入口８」から窒素、酸素、水素、アルゴン、ヘリウム、二酸化炭素、ネオンの群より選択される気体を送り、「プラズマ発射口１７」から「プラズマ１８」を発射する。「半球型回転ブランケット」を「ブランケット浮上用磁石」で浮上させ「ブランケット回転用磁石」で回転させる。
発射されたプラズマ１８はコリオリの力により中央に集まり、中心部の方が外側のプラズマよりも早く回るため、外側のプラズマが中央部に引き寄せられ球体を形成する。
「半球型回転ブランケット」の「ブランケット回転用磁石」はリニアモーターカーの原理と同じ仕組みで「半球型回転ブランケット」を回転させる。
【００４１】  図２０は、本発明の実施形態（実施例５）の電子入力コイルとコイル内の構成図である。
「電子入力コイル」は金属で形成し、先端部分は尖っていると電子が帯電しやすくなるので尖らせる。
本発明の装置の構成によりプラズマ球が発生すると、磁力が発生し、磁力線は図のようになる。
「電子」は反時計回りに回転し「電子入力コイル」に帯電する。「電子入力コイル」の形状、材質、数量で、電圧を制御する。なお電圧を高めることで電流を減らして温度を下げ、システム内の破損を防ぐ。プラズマによる光電効果で電子は激しく移動する。
またプラズマ球から発せられる電磁波は、電子に運動エネルギーを与える。
電磁波は電子を動かして、「電子入力コイル」に電子が帯電する。
【００４２】  図２１は、本発明の回転するフライホイール（実施例１）において、さらにマグネトロンを設け、マイクロ波の発生を外部電力だけに頼らずハイブリット化する装置（実施例６）の横断面図である。
マグネトロンは、他の熱電子管と同様、ヒータにより加熱された陰極（カソード）と陽極（アノード）からなる。フライホイール（実施例１）２をカソードとして空胴の中央に配置し、プラズマ１８により加熱されることで熱電子が放出される。
なおフライホイールを設置する装置３をアノードとして配置することで、負の電子１２はフライホイールを設置する装置３に向かって進行する。
前記装置に、磁場の影響を与えるため永久磁石を利用し負の電子１２をフレミングの法則でフライホイール（実施例１）２とフライホイールを設置する装置３の空間を周回させる。
フライホイールを設置する装置３に設けられたキャビティと呼ばれる空洞共振器３０を設け高周波発振を発生させる。
前記により、アンテナ３１を利用し、フライホイールを設置する装置３の外部に備えた導波管に出力することでプラズマ発射口１７のアンテナ２０のアンテナの先端１９からマイクロ波２６を発生させる。
気体注入口８から注入した窒素、酸素、水素、アルゴン、ヘリウム、二酸化炭素、ネオンの群より選択される物質１５を、パイプ１６を輸送手段として利用し、プラズマ発射口１７に送り、前記マイクロ波２６を利用して電離させプラズマ１８を発生させる。
【００４３】  図２２は、本発明の回転するフライホイール（実施例１）において、さらにマグネトロンを設け、マイクロ波の発生を外部電力だけに頼らずハイブリット化する装置（実施例７）の横断面図である。
マグネトロンは、他の熱電子管と同様、ヒータにより加熱された陰極（カソード）と陽極（アノード）からなる。
フライホイールを設置する装置３をカソードとして空胴の外側に配置し、プラズマ１８により加熱されることで熱電子が放出される。
なおフライホイール（実施例１）２をアノードとして配置することで、負の電子１２はフライホイール（実施例１）２に向かって進行する。
前記装置に、磁場の影響を与えるため永久磁石を利用し負の電子１２をフレミングの法則でフライホイール（実施例１）２とフライホイールを設置する装置３の空間を周回させる。
フライホイール（実施例１）２に設けられたキャビティと呼ばれる空洞共振器３０を設け高周波発振を発生させる。
前記により、アンテナ３１を利用し、フライホイール（実施例１）２に備えた導波管に出力することでプラズマ発射口１７のアンテナ２０のアンテナの先端１９からマイクロ波２６を発生させる。
気体注入口８から注入した窒素、酸素、水素、アルゴン、ヘリウム、二酸化炭素、ネオンの群より選択される物質１５を、パイプ１６を輸送手段として利用し、プラズマ発射口１７に送り、前記マイクロ波２６を利用して電離させプラズマ１８を発生させる。
【００４４】  図２３は、本発明の回転するフライホイール（実施例１）において、さらにマグネトロンを設け、マイクロ波の発生を外部電力だけに頼らずハイブリット化する装置（実施例６）の縦断面図である。
マグネトロンは、他の熱電子管と同様、ヒータにより加熱された陰極（カソード）と陽極（アノード）からなる。フライホイール（実施例１）２をカソードとして空胴の中央に配置し、プラズマ１８により加熱されることで熱電子が放出される。
なおフライホイールを設置する装置３をアノードとして配置することで、負の電子１２はフライホイールを設置する装置３に向かって進行する。
前記装置に、磁場の影響を与えるため永久磁石を利用し負の電子１２をフレミングの法則でフライホイール（実施例１）２とフライホイールを設置する装置３の空間を周回させる。
フライホイールを設置する装置３に設けられたキャビティと呼ばれる空洞共振器３０を設け高周波発振を発生させる。前記により、アンテナ３１を利用し、フライホイールを設置する装置３の外部に備えた導波管に出力することでプラズマ発射口１７のアンテナ２０のアンテナの先端１９からマイクロ波２６を発生させる。
気体注入口８から注入した窒素、酸素、水素、アルゴン、ヘリウム、二酸化炭素、ネオンの群より選択される物質１５を、パイプ１６を輸送手段として利用し、プラズマ発射口１７に送り、前記マイクロ波２６を利用して電離させプラズマ１８を発生させる。
【００４５】  図２４は、本発明の回転するフライホイール（実施例１）において、さらにマグネトロンを設け、マイクロ波の発生を外部電力だけに頼らずハイブリット化する装置（実施例７）の縦断面図である。
フライホイールを設置する装置３をカソードとして空胴の外側に配置し、プラズマ１８により加熱されることで熱電子が放出される。
なおフライホイール（実施例１）２をアノードとして配置することで、負の電子１２はフライホイール（実施例１）２に向かって進行する。
前記装置に、磁場の影響を与えるため永久磁石を利用し負の電子１２をフレミングの法則でフライホイール（実施例１）２とフライホイールを設置する装置３の空間を周回させる。
フライホイール（実施例１）２に設けられたキャビティと呼ばれる空洞共振器３０を設け高周波発振を発生させる。
前記により、アンテナ３１を利用し、フライホイール（実施例１）２に備えた導波管に出力することでプラズマ発射口１７のアンテナ２０のアンテナの先端１９からマイクロ波２６を発生させる。
気体注入口８から注入した窒素、酸素、水素、アルゴン、ヘリウム、二酸化炭素、ネオンの群より選択される物質１５をパイプ１６を輸送手段として利用し、プラズマ発射口１７に送り、前記マイクロ波２６を利用して電離させプラズマ１８を発生させる。
【００４６】  図２５は、本発明の図７において、さらに水移動用パイプ２７を設けたプラズマ発射口１７の仕組みを示す構成図である。プラズマ発射口１７は、マイクロ波２６を発射するアンテナ２０と、水移動用パイプ２７が内蔵されている。窒素、酸素、水素、アルゴン、ヘリウム、二酸化炭素、ネオンの群より選択される物質１５は、気体（１５）移動用パイプ２８を利用して矢印の方向に移動し、アンテナの先端１９から発射されるマイクロ波２６によって電離してプラズマ１８になる。
水移動用パイプ２７から水２３を装置内に噴射し、プラズマ発射口１７から発生したプラズマ１８の熱で水２３を水蒸気爆発２４させる。なお、パイプ２７は、砂鉄、スズ、金の群より選択される物質を噴射する際も利用する。
【００４７】  図２６は、本発明の回転するフライホイール（実施例５）において、さらにマグネトロンを設け、マイクロ波の発生を外部電力だけに頼らずハイブリット化する装置（実施例８）の構成図である。
マグネトロンは、他の熱電子管と同様、ヒータにより加熱された陰極（カソード）と陽極（アノード）からなる。フライホイール（実施例５）の空胴の中央にカソードを配置し、プラズマ１８により加熱されることで熱電子が放出される。なお、負の電子１２はアノードに向かって進行する。
前記装置に、磁場の影響を与えるためフェライト磁石を利用して、負の電子１２をフレミングの法則で装置の空間を周回させる。キャビティと呼ばれる空洞共振器３０を設け高周波発振を発生させる。前記により、アンテナ３１を利用し、装置の外部に備えた導波管に出力することでプラズマ発射口１７のアンテナ２０のアンテナの先端１９からマイクロ波２６を発生させる。
気体注入口８から注入した窒素、酸素、水素、アルゴン、ヘリウム、二酸化炭素、ネオンの群より選択される物質１５を、パイプ１６を輸送手段として利用し、プラズマ発射口１７に送り、前記マイクロ波２６を利用して電離させプラズマ１８を発生させる。
【００４８】  図２７は、本発明の図２５の縦断面図である。
プラズマ発射口１７は、マイクロ波２６を発射するアンテナ２０と、水移動用パイプ２７が内蔵されている。窒素、酸素、水素、アルゴン、ヘリウム、二酸化炭素、ネオンの群より選択される物質１５は、気体（１５）移動用パイプ２８を利用して矢印の方向に移動し、アンテナの先端１９から発射されるマイクロ波２６によって電離してプラズマ１８になる。
水移動用パイプ２７から水２３を装置内に噴射し、プラズマ発射口１７から発生したプラズマ１８の熱で水２３を水蒸気爆発２４させる。
【００４９】  図２８は、本発明の図２５の立面図である。
プラズマ発射口１７は、マイクロ波２６を発射するアンテナ２０と、水移動用パイプ２７が内蔵されている。窒素、酸素、水素、アルゴン、ヘリウム、二酸化炭素、ネオンの群より選択される物質１５は、気体（１５）移動用パイプ２８を利用して矢印の方向に移動し、アンテナの先端１９から発射されるマイクロ波２６によって電離してプラズマ１８になる。
水移動用パイプ２７から水２３を装置内に噴射し、プラズマ発射口１７から発生したプラズマ１８の熱で水２３を水蒸気爆発２４させる。
【００５０】  図２９は、本発明の図２５のプラズマ１８が発生する側の立面図である。
プラズマ発射口１７は、マイクロ波２６を発射するアンテナ２０と、水移動用パイプ２７が内蔵されている。窒素、酸素、水素、アルゴン、ヘリウム、二酸化炭素、ネオンの群より選択される物質１５は、気体（１５）移動用パイプ２８を利用して矢印の方向に移動し、アンテナの先端１９から発射されるマイクロ波２６によって電離してプラズマ１８になる。
水移動用パイプ２７から水２３を装置内に噴射し、プラズマ発射口１７から発生したプラズマ１８の熱で水２３を水蒸気爆発２４させる。
【００５１】  図３０は、本発明の回転するフライホイール（実施例５）において、さらにマグネトロンを設け、マイクロ波の発生を外部電力だけに頼らずハイブリット化する装置（実施例８）の横断面図である。
フライホイール（実施例５）の空胴の中央にカソードを配置し、プラズマ１８により加熱されることで熱電子が放出される。なお、負の電子１２はアノードに向かって進行する。
前記装置に、磁場の影響を与えるためフェライト磁石を利用して、負の電子１２をフレミングの法則で装置の空間を周回させる。キャビティと呼ばれる空洞共振器３０を設け高周波発振を発生させる。前記により、アンテナ３１を利用し、装置の外部に備えた導波管に出力することでプラズマ発射口１７のアンテナ２０のアンテナの先端１９からマイクロ波２６を発生させる。
気体注入口８から注入した窒素、酸素、水素、アルゴン、ヘリウム、二酸化炭素、ネオンの群より選択される物質１５を、パイプ１６を輸送手段として利用し、プラズマ発射口１７に送り、前記マイクロ波２６を利用して電離させプラズマ１８を発生させる。
【００５２】  図３１は、本発明の図３２の回転用磁石とブランケット浮上用磁石の構成図である。
ブランケットに装着しているブランケット浮上用磁石１００と真空容器に装着しているブランケット浮上用磁石１０１は、磁石の同極で（Ｓ極とＳ極、Ｎ極とＮ極）反発して浮上する構成になっている。ブランケットに装着している回転用磁石１０２は永久磁石、真空容器に装着している回転用磁石１０３は電磁石であり、磁石のＳ極とＮ極を交互に変換することで移動するリニアモーターカーと同じ仕組みでブランケットを回転させる。
【００５３】  図３２は、本発明の図１６において、回転用磁石とブランケット浮上用磁石を二重に装着した例の縦断面図である。回転用磁石とブランケット浮上用磁石の磁力が混合することを防止するため、金属製の磁力線防止用板１０４を装着し、ブランケットを回転させる。
【実施例】
【００５４】  本発明である、装置を利用すれば、窒素、酸素、水素、アルゴン、ヘリウム、二酸化炭素、ネオンの群より選択される物質１５を電離させてプラズマ１８を発生させ、電気自動車や発電所に利用でき、従来の電気自動車や高コストの燃料電池よりも遥かに優れている。さらに、環境に優しいだけではなく、気体をプラズマ化することで空気中の汚染物質を消滅させることが可能であり、地球環境を向上させながら発電する画期的な発明である。装置には磁石が設けられているため、磁石の反発も利用してフライホイールは常に回転して発電できる。
さらに、本発明の優位な点は、磁石による回転では、磁力のスピード以上に理論上ならないが、プラズマを使うことで理論上、光速が可能な静電加速を利用でき、磁石で回転するフライホイールよりも、プラズマで回転するフライホイールの方がより高速で回転するため高エネルギーが可能である。
【符号の説明】
【００５５】１磁石
２フライホイール
３フライホイールを設置する装置
４歯車
５軸
７噴射装置
８気体注入口
９ピストン
１０コンロッド
１１移動方向
１２負の電荷（電子）
１３プラスイオン
１４クーロン力
１５窒素、酸素、水素、アルゴン、ヘリウム、二酸化炭素、ネオンの群より選択される物質
１６パイプ（気体を移動させる手段に使う管）
１７プラズマ発射口
１８プラズマ
１９アンテナの先端
２０アンテナ
２１マイクロ波により電磁石として機能するコイル
２２磁石
２３水
２４水蒸気爆発
２５円錐状の空間
２６マイクロ波
２７水移動用パイプ
２８気体（１５）移動用パイプ
３０空洞共振器
３１アンテナ
１００ブランケットに装着しているブランケット浮上用磁石
１０１真空容器に装着しているブランケット浮上用磁石
１０２ブランケットに装着している回転用磁石
１０３真空容器に装着している回転用磁石
１０４金属製の磁力線防止用板
【図１】
2012241703.tif 000003
【図２】
2012241703.tif 000004
【図３】
2012241703.tif 000005
【図４】
2012241703.tif 000006
【図５】
2012241703.tif 000007
【図６】
2012241703.tif 000008
【図７】
2012241703.tif 000009
【図８】
2012241703.tif 000010
【図９】
2012241703.tif 000011
【図１０】
2012241703.tif 000012
【図１１】
2012241703.tif 000013
【図１２】
2012241703.tif 000014
【図１３】
2012241703.tif 000015
【図１４】
2012241703.tif 000016
【図１５】
2012241703.tif 000017
【図１６】
2012241703.tif 000018
【図１７】
2012241703.tif 000019
【図１８】
2012241703.tif 000020
【図１９】
2012241703.tif 000021
【図２０】
2012241703.tif 000022
【図２１】
2012241703.tif 000023
【図２２】
2012241703.tif 000024
【図２３】
2012241703.tif 000025
【図２４】
2012241703.tif 000026
【図２５】
2012241703.tif 000027
【図２６】
2012241703.tif 000028
【図２７】
2012241703.tif 000029
【図２８】
2012241703.tif 000030
【図２９】
2012241703.tif 000031
【図３０】
2012241703.tif 000032
【図３１】
2012241703.tif 000033
【図３２】
2012241703.tif 000034
【手続補正書】
【提出日】平成24年4月10日(2012.4.10)
【手続補正１】
【補正対象書類名】明細書
【補正対象項目名】全文
【補正方法】変更
【補正の内容】
【発明の詳細な説明】
【技術分野】
【０００１】  本発明は、磁石の磁気を利用して半球型のフライホイールを回転させ、コリオリの力を利用して球体のプラズマを半球型のフライホイールの中心部に発生させる。前記、球体のプラズマの熱と電子を利用するプラズマ装置である。
【背景技術】
【０００２】  プラズマをエンジンの効率を良くするために使っている技術は存在している。プラズマ（ｐｌａｓｍａ）は一般には電離した気体のことを指す。通常の気体を構成する中性分子が電離し、正の電荷をもつイオンと負の電荷をもつ電子とに別れて自由に飛び回っている。全体として電気的に中性な物質である。しかし、構成粒子が電荷をもつため、粒子運動がそれ自身のつくり出す電磁場と相互作用を及ぼしあうことにより、通常の分子からなる気体とは大きく異なった性質をもつ、そのためプラズマは物質の三態、すなわち「固体」「液体」「気体」とは異なった、物質の第四態といわれることもある。レッドスプライトとは、雷雲上の中間圏で起こる発光現象であり、単に「スプライト」とも呼ばれる（以下「スプライト」と書く）。中間圏発光現象の１つである。
この現象は現在謎だが、航空機を一撃で破壊するエネルギーを持っている。雷とは全く別の発光現象ではあるが、雷（雷放電）に付随して発光するといわれている。スプライトは、アメリカのＦｒａｎｚらが１９８９年に夜間ビデオカメラの較正をしていた時に偶然に撮影してしまった発光現象である。
その色（ｒｅｄ）と妖精（ｓｐｒｉｔｅ）のようにひょっこり姿を現すことから、「レッドスプライト」と呼ばれるようになった。  しかし、理論としてはチャールズ・ウィルソンが提唱していたが当時はカメラも高性能ではなく、たとえ目撃しても目の錯覚だといわれていた。Ｆｒａｎｚらの発見後、様々な科学者により盛んに研究され、実像が明らかになりつつある。色は赤色で、高度約５０〜８０ｋｍで発光し、垂直方向の大きさは２０ｋｍ程度、水平方向の大きさは数ｋｍ〜７０ｋｍ程度である。スペクトル解析によると、窒素分子のｆｉｒｓｔ  ｐｏｓｉｔｉｖｅ  ｂａｎｄが支配的であることから、窒素分子がその発光に寄与していることが分かった。
【先行技術文献】
【特許文献】
【０００３】
【特許文献１】  特開２００９−１７４４１０号公報
【非特許文献】
【０００４】
【非許文献１】
システムの形状はエニアグラムを参考にしている。
荷電粒子が一様な外部磁場によるローレンツ力だけを受けて運動する時に働く力は常に磁場に垂直であるから、この粒子の磁場に平行な方向の運動にはまったく磁場の影響は表れない。したがって（重力などのそれ以外の力が働かない限り）、磁場に平行な方向には荷電粒子は等速運動する。
その他の参考理論「アンペールの法則」「静電ポテンシャル」「ファラデーの法則」「コンプトン効果」
【発明の概要】
【発明が解決しようとする課題】
【０００５】  環境に優しく、効率のよい自動車技術は、ガソリン自動車の存在が限界に達した現在、不可欠である。本発明の典型的な技術は、大気中に多く含まれる窒素などを利用し、プラズマを発生させ、発電機として利用する。前記により、環境に優しく、燃料コストを抑えることが出来るため、環境対策技術で優位な発明である。【０００６】  現在、使われている電気自動車は充電や発電に手間やコストのリスクがある。
また電気自動車特有の静かさによって、歩行者が気付きにくいなど、電気自動車特有の欠点も指摘されている。【０００７】  温暖化や環境汚染による問題を解決するためＣＯ２を排出しない新たな発電システムが必要である。核融合発電の課題である「安全性」「効率」「容器が溶ける」などの欠点を克服するため新たなプラズマを使った発電システムが必要である。
【課題を解決するための手段】
【０００８】  本発明は、プラズマ発射口と浮上用磁石と回転用磁石を設けた半球型のフライホイールを磁石の反発する力を利用して回転させ、プラズマ発射口から窒素、酸素、水素、アルゴン、ヘリウム、二酸化炭素、ネオンの群より選択される物質を使いプラズマを発生させ、発生したプラズマをコリオリの力を利用して球体のプラズマを半球型のフライホイールの中心部に発生させる。前記、球体のプラズマの熱と電子を利用して発電するプラズマ装置。【０００９】  本発明は、請求項１記載のプラズマ装置において、砂鉄、スズ、金の群より選択される物質移動用パイプ設けたプラズマ発射口から、窒素、酸素、水素、アルゴン、ヘリウム、二酸化炭素、ネオンの群より選択される物質と砂鉄、スズ、金の群より選択される物質を混合し、電離してプラズマを発生させ、発生したプラズマをコリオリの力を利用して球体のプラズマを半球型のフライホイールの中心部に発生させる。前記、球体のプラズマの熱と電子を利用して発電するプラズマ装置。ケプラーの第三法則で示されているように、回転しているプラズマの中心部は、外側よりも早く回転するため、周囲のプラズマを引き寄せる。回転しているプラズマは原始恒星が形成されたように球体になる。プラズマが球体になることで回転している軸から磁場が発せられ、ローレンツ力により電子は回転する。前記は、原始恒星が誕生する際に、塵などの物質が回転する原動力になっていると考察できる。前記物理現象により、恒星や惑星は自転すると考察でき、前記ローレンツ力によって球体のプラズマは成長し安定して回転する。球体のプラズマは半球型のフライホイールの中心部で回転することで半球型のフライホイールの破損を防ぐ。【００１０】  本発明のプラズマ装置において、装置内に陰極と陽極を設け、プラズマ発射口から窒素、酸素、水素、アルゴン、ヘリウム、二酸化炭素、ネオンの群より選択される物質を使いプラズマを発生させ、発生したプラズマをコリオリの力を利用して球体のプラズマを半球型のフライホイールの中心部に発生させる。前記、球体のプラズマの熱を利用し、陰極を加熱して、熱電子を放出させ、負の電子を陽極に向かって進行させて、マグネトロンと同様の効果を実施してマイクロ波を発生させる装置。前記により外部電力を節約でき、ハイブリットのプラズマ装置を実現できる。【００１１】  本発明のプラズマ装置において、装置内に電子入力コイルを設け、プラズマ発射口から窒素、酸素、水素、アルゴン、ヘリウム、二酸化炭素、ネオンの群より選択される物質を使いプラズマを発生させ、発生したプラズマをコリオリの力を利用して球体のプラズマを半球型のフライホイールの中心部に発生させる。前記、球体のプラズマから発せられる電子を電子入力コイルに帯電させ、蓄電池に電子を送り、蓄電池を充電するプラズマ装置。ローレンツ力により、磁力線の方向と電子の方向が決定し、電子入力コイルに電子が帯電する。
【発明の効果】
【００１２】  本発明によれば、発電および充電として使用できるため、自動車やバイク、及び発電所やバッテリーとして利用でき、自動車関連、電気関連など全世界で多くの需要が期待できる。
【図面の簡単な説明】
【００１３】
【図１】プラズマ発射口１７の仕組みを示す構成図である。
【図２】本発明の実施形態の構成図である。
【図３】本発明の実施形態において、発生する作用を説明する図である。
【図４】本発明の実施形態の横断面図であり、プラズマ１８がコリオリの力で曲がり中央にプラズマ球を発生させる構成図である。
【図５】本発明の実施形態の内部斜面図である。
【図６】本発明の実施形態の電子入力コイルとコイル内の構成図である。
【図７】図１において、さらに砂鉄、スズ、金の群より選択される物質移動用パイプ２７を設けたプラズマ発射口１７の仕組みを示す構成図である。
【図８】本発明の回転する半球型のフライホイールにおいて、さらに陰極と陽極を設け、マイクロ波の発生を外部電力だけに頼らずハイブリット化する装置の構成図である。
【図９】図７の縦断面図である。
【図１０】図７の立面図である。
【図１１】図７のプラズマ１８が発生する側の立面図である。
【図１２】本発明の回転する半球型のフライホイールにおいて、さらに陰極と陽極を設け、マイクロ波の発生を外部電力だけに頼らずハイブリット化する装置の横断面図である。
【図１３】本発明の回転用磁石と浮上用磁石の構成図である。
【図１４】本発明において、回転用磁石と浮上用磁石を二重に装着した例の縦断面図である。
【発明を実施するための形態】
【００１４】  以下、本発明の実施形態につき、図面を参照して説明する。
【００１５】  図１は、プラズマ発射口１７の仕組みを示す構成図である。
プラズマ発射口１７は、マイクロ波２６を発射するアンテナ２０が内蔵されている。
窒素、酸素、水素、アルゴン、ヘリウム、二酸化炭素、ネオンの群より選択される物質１５は、矢印の方向に移動し、アンテナの先端１９から発射されるマイクロ波２６によって電離してプラズマ１８になる。発生したプラズマ１８は、磁石２２の磁力線に巻き付くようにらせん運動し、矢印の方向に移動する。
【００１６】  図２は、本発明の実施形態の構成図である。
装置内は真空である。半球型のフライホイールに設けた「気体注入口」から窒素、酸素、水素、アルゴン、ヘリウム、二酸化炭素、ネオンの群より選択される気体を送り、「プラズマ発射口１７」から「プラズマ１８」を発生させる。「半球型のフライホイール」を半球型のフライホイールに設けた「浮上用磁石１００」と真空容器に設けた「浮上用磁石１０１」の磁気の反発を利用し浮上させ、半球型のフライホイールに設けた「回転用磁石１０２」と真空容器に設けた「回転用磁石１０３」を磁石のＳ極とＮ極を交互に変換することで移動するリニアモーターカーと同じ仕組みで回転させる。
前記装置により、半球型のフライホイール中央部に「プラズマ球」が形成される。
「プラズマ球」から磁場が発せられ、半球型のフライホイール内で電子は回転しながら「電子入力コイル」に帯電する。帯電した電子は「蓄電池」に蓄積される。
【００１７】  図３は、本発明の実施形態において、発生する作用を説明する図である。
「半球型のフライホイール」を半球型のフライホイールに設けた「浮上用磁石１００」と真空容器に設けた「浮上用磁石１０１」の磁気の反発を利用し浮上させ、半球型のフライホイールに設けた「回転用磁石１０２」と真空容器に設けた「回転用磁石１０３」を磁石のＳ極とＮ極を交互に変換することで移動するリニアモーターカーと同じ仕組みで回転させる。
「プラズマ球」の上部をＮ極にするため「半球型のフライホイール」を、時計回りに回転させ、コリオリの力を利用し「プラズマ球」を反時計回りに回転させる。前記の結果、ローレンツ力により、「磁力線の方向」と「電子の方向」が決定し、「電子入力コイル」に電子が帯電する。
プラズマ球は、球体になることで磁場が発生して、電子の流れに影響を与える。
「電子入力コイル」の巻き方を変更することで電圧は変更する。前記により、電子の流れを制御できる。制御することで、「電子入力コイル」の劣化を防止する。
また「電子入力コイル」の量を増やすことで「電子入力コイル」の劣化を防止する。
「電子入力コイル」を電子の移動手段として利用し「蓄電池」に電子を蓄積させる。
【００１８】  図４は、本発明の実施形態の横断面図であり、プラズマ１８がコリオリの力で曲がり中央にプラズマ球を発生させる構成図である。
「半球型のフライホイール」を、半球型のフライホイールに設けた「浮上用磁石１００」と真空容器に設けた「浮上用磁石１０１」の磁気の反発を利用し浮上させ、半球型のフライホイールに設けた「回転用磁石１０２」と真空容器に設けた「回転用磁石１０３」を磁石のＳ極とＮ極を交互に変換することで移動するリニアモーターカーと同じ仕組みで、時計回りに回転させる。「プラズマ発射口１７」から発射された「プラズマ１８」はコリオリの力により、発射方向が反時計回りの方向に曲がる力を受けるため、プラズマ１８は回転する力を受けて中央に「プラズマ球」を形成させる。前記作用はケプラーの第三法則で説明できる。コリオリの力により中央に集まったプラズマ１８は、中心部の方が外側のプラズマよりも早く回るため、外側のプラズマが中央部に引き寄せられ球体を形成する。
【００１９】  図５は、本発明の実施形態の内部斜面図である。
半球型のフライホイールに設けた「気体注入口」から窒素、酸素、水素、アルゴン、ヘリウム、二酸化炭素、ネオンの群より選択される気体を半球型のフライホイールに設けた「プラズマ発射口」に送り、「プラズマ発射口１７」から「プラズマ１８」を発射する。「半球型のフライホイール」を半球型のフライホイールに設けた「浮上用磁石１００」と真空容器に設けた「浮上用磁石１０１」の磁気の反発を利用し浮上させ、半球型のフライホイールに設けた「回転用磁石１０２」と真空容器に設けた「回転用磁石１０３」を磁石のＳ極とＮ極を交互に変換することで移動するリニアモーターカーの原理と同じ仕組みで「半球型のフライホイール」を回転させる。
発射されたプラズマ１８はコリオリの力により中央に集まり、中心部の方が外側のプラズマよりも早く回るため、外側のプラズマが中央部に引き寄せられ球体を形成する。
【００２０】  図６は、本発明の実施形態の電子入力コイルとコイル内の構成図である。
「電子入力コイル」は金属で形成し、先端部分は尖っていると電子が帯電しやすくなるので尖らせる。
本発明の装置の構成によりプラズマ球が発生すると、磁力が発生し、磁力線は図のようになる。
「電子」は反時計回りに回転し「電子入力コイル」に帯電する。「電子入力コイル」の形状、材質、数量で、電圧を制御する。なお電圧を高めることで電流を減らして温度を下げ、システム内の破損を防ぐ。プラズマによる光電効果で電子は激しく移動する。
またプラズマ球から発せられる電磁波は、電子に運動エネルギーを与える。
電磁波は電子を動かして、「電子入力コイル」に電子が帯電する。
【００２１】  図７は、図１において、さらに砂鉄、スズ、金の群より選択される物質移動用パイプ２７を設けたプラズマ発射口１７の仕組みを示す構成図である。
半径型のフライホイールに設けたプラズマ発射口１７は、マイクロ波２６を発射するアンテナ２０と、砂鉄、スズ、金の群より選択される物質移動用パイプ２７が内蔵されている。窒素、酸素、水素、アルゴン、ヘリウム、二酸化炭素、ネオンの群より選択される物質１５は、気体（１５）移動用パイプ２８を利用して矢印の方向に移動し、アンテナの先端１９から発射されるマイクロ波２６によって電離してプラズマ１８になる。
砂鉄、スズ、金の群より選択される物質移動用パイプ２７から砂鉄、スズ、金の群より選択される物質を装置内に噴射し、プラズマ発射口１７から発生したプラズマ１８と混合し、電離してプラズマを発生させ、発生したプラズマをコリオリの力を利用して球体のプラズマを半球型のフライホイールの中心部に発生させる。砂鉄、スズ、金の群より選択される物質移動用パイプ２７は、砂鉄、スズ、金の群より選択される物質を噴射する際に利用する。
【００２２】  図８は、本発明の回転する半球型のフライホイールにおいて、さらに陰極と陽極を設け、マイクロ波の発生を外部電力だけに頼らずハイブリット化する装置の構成図である。
マグネトロンは、他の熱電子管と同様、ヒータにより加熱された陰極（カソード）と陽極（アノード）からなる。フライホイールの空胴の中央に陰極（カソード）を配置し、プラズマ球により加熱されることで熱電子が放出され、負の電子は真空容器に設けた陽極（アノード）に向かって進行する。
前記装置に、磁場の影響を与えるためフェライト磁石を利用して、負の電子をフレミングの法則で装置の空間を周回させる。陽極（アノード）にキャビティと呼ばれる空洞共振器３０を設け高周波発振を発生させる。前記により、アンテナを利用し、装置の外部に備えた導波管に出力することでプラズマ発射口１７のアンテナ２０のアンテナの先端１９からマイクロ波２６を発生させる。
半球型のフライホイールに設けた気体注入口から注入した窒素、酸素、水素、アルゴン、ヘリウム、二酸化炭素、ネオンの群より選択される物質１５を、半球型のフライホイールに設けたパイプ１６を輸送手段として利用し、半球型のフライホイールに設けたプラズマ発射口１７に送り、前記マイクロ波２６を利用して、窒素、酸素、水素、アルゴン、ヘリウム、二酸化炭素、ネオンの群より選択される物質１５を電離させプラズマ１８を発生させる。
【００２３】  図９は、図７の縦断面図である。
半球型のフライホイールに設けたプラズマ発射口１７は、マイクロ波２６を発射するアンテナ２０と、砂鉄、スズ、金の群より選択される物質移動用パイプ２７が内蔵されている。窒素、酸素、水素、アルゴン、ヘリウム、二酸化炭素、ネオンの群より選択される物質１５は、気体（１５）移動用パイプ２８を利用して矢印の方向に移動し、アンテナの先端１９から発射されるマイクロ波２６によって電離してプラズマ１８になる。
砂鉄、スズ、金の群より選択される物質移動用パイプ２７から砂鉄、スズ、金の群より選択される物質を装置内に噴射し、半球型のフライホイールに設けたプラズマ発射口１７から発生したプラズマ１８の熱で砂鉄、スズ、金の群より選択される物質は混合する。
【００２４】  図１０は、図７の立面図である。
半球型のフライホイールに設けたプラズマ発射口１７は、マイクロ波２６を発射するアンテナ２０と、砂鉄、スズ、金の群より選択される物質移動用パイプ２７が内蔵されている。窒素、酸素、水素、アルゴン、ヘリウム、二酸化炭素、ネオンの群より選択される物質１５は、気体（１５）移動用パイプ２８を利用して矢印の方向に移動し、アンテナの先端１９から発射されるマイクロ波２６によって電離してプラズマ１８になる。
砂鉄、スズ、金の群より選択される物質移動用パイプ２７から砂鉄、スズ、金の群より選択される物質を装置内に噴射し、半球型のフライホイールに設けたプラズマ発射口１７から発生したプラズマ１８の熱で砂鉄、スズ、金の群より選択される物質は混合する。
【００２５】  図１１は、図７のプラズマ１８が発生する側の立面図である。
半球型のフライホイールに設けたプラズマ発射口１７は、マイクロ波２６を発射するアンテナ２０と、砂鉄、スズ、金の群より選択される物質移動用パイプ２７が内蔵されている。窒素、酸素、水素、アルゴン、ヘリウム、二酸化炭素、ネオンの群より選択される物質１５は、気体（１５）移動用パイプ２８を利用して矢印の方向に移動し、アンテナの先端１９から発射されるマイクロ波２６によって電離してプラズマ１８になる。
砂鉄、スズ、金の群より選択される物質移動用パイプ２７から砂鉄、スズ、金の群より選択される物質を装置内に噴射し、半球型のフライホイールに設けたプラズマ発射口１７から発生したプラズマ１８の熱で砂鉄、スズ、金の群より選択される物質は混合する。
【００２６】  図１２は、本発明の回転する半球型のフライホイールにおいて、さらに陰極と陽極を設け、マイクロ波の発生を外部電力だけに頼らずハイブリット化する装置の横断面図である。
フライホイールの空胴の中央に陰極（カソード）を配置し、プラズマ球により加熱されることで熱電子が放出され、負の電子は真空容器に設けた陽極（アノード）に向かって進行する。
前記装置に、磁場の影響を与えるためフェライト磁石を利用して、負の電子をフレミングの法則で装置の空間を周回させる。陽極（アノード）にキャビティと呼ばれる空洞共振器３０を設け高周波発振を発生させる。前記により、アンテナを利用し、装置の外部に備えた導波管に出力することでプラズマ発射口１７のアンテナ２０のアンテナの先端１９からマイクロ波２６を発生させる。
半球型のフライホイールに設けた気体注入口から注入した窒素、酸素、水素、アルゴン、ヘリウム、二酸化炭素、ネオンの群より選択される物質１５を、半球型のフライホイールに設けたパイプ１６を輸送手段として利用し、半球型のフライホイールに設けたプラズマ発射口１７に送り、前記マイクロ波２６を利用して、窒素、酸素、水素、アルゴン、ヘリウム、二酸化炭素、ネオンの群より選択される物質１５を電離させプラズマ１８を発生させる。
【００２７】  図１３は、本発明の回転用磁石と浮上用磁石の構成図である。
半球型のフライホイールに装着している浮上用磁石１００と真空容器に装着している浮上用磁石１０１は、磁石の同極で（Ｓ極とＳ極、Ｎ極とＮ極）反発して浮上する構成になっている。半球型のフライホイールに装着している回転用磁石１０２は永久磁石、真空容器に装着している回転用磁石１０３は電磁石であり、磁石のＳ極とＮ極を交互に変換することで移動するリニアモーターカーと同じ仕組みで半球型のフライホイールを回転させる。
【００２８】  図１４は、本発明において、回転用磁石と浮上用磁石を二重に装着した例の縦断面図である。
回転用磁石と浮上用磁石の磁力が混合することを防止するため、金属製の磁力線防止用板１０４を装着し、半球型のフライホイールを回転させる。
【実施例】
【００２９】  本発明である、装置を利用すれば、窒素、酸素、水素、アルゴン、ヘリウム、二酸化炭素、ネオンの群より選択される物質１５を電離させてプラズマ１８を発生させ、電気自動車や発電所に利用でき、従来の電気自動車や高コストの燃料電池よりも遥かに優れている。さらに、環境に優しいだけではなく、気体をプラズマ化することで空気中の汚染物質を消滅させることが可能であり、地球環境を向上させながら発電する画期的な発明である。装置には磁石が設けられているため、磁石を利用して半球型のフライホイールは常に回転して発電する。
【符号の説明】
【００３０】１５窒素、酸素、水素、アルゴン、ヘリウム、二酸化炭素、ネオンの群より選択される物質
１６パイプ（気体１５を移動させる手段に使う管）
１７プラズマ発射口
１８プラズマ
１９アンテナの先端
２０アンテナ
２２磁石
２３砂鉄、スズ、金の群より選択される物質
２６マイクロ波
２７砂鉄、スズ、金の群より選択される物質移動用パイプ
２８気体（１５）移動用パイプ
３０空洞共振器
１００半球型のフライホイールに装着している浮上用磁石
１０１真空容器に装着している浮上用磁石
１０２半球型のフライホイールに装着している回転用磁石
１０３真空容器に装着している回転用磁石
１０４金属製の磁力線防止用板
【手続補正２】
【補正対象書類名】特許請求の範囲
【補正対象項目名】全文
【補正方法】変更
【補正の内容】
【特許請求の範囲】
【請求項１】
プラズマ発射口と浮上用磁石と回転用磁石を設けた半球型のフライホイールを磁石の反発する力を利用して回転させ、プラズマ発射口から窒素、酸素、水素、アルゴン、ヘリウム、二酸化炭素、ネオンの群より選択される物質を使いプラズマを発生させ、発生したプラズマをコリオリの力を利用して球体のプラズマを半球型のフライホイールの中心部に発生させる。前記、球体のプラズマの熱と電子を利用して発電するプラズマ装置。
【請求項２】
請求項１記載のプラズマ装置において、砂鉄、スズ、金の群より選択される物質移動用パイプを設けたプラズマ発射口から、窒素、酸素、水素、アルゴン、ヘリウム、二酸化炭素、ネオンの群より選択される物質と砂鉄、スズ、金の群より選択される物質を混合し、電離してプラズマを発生させ、発生したプラズマをコリオリの力を利用して球体のプラズマを半球型のフライホイールの中心部に発生させる。前記、球体のプラズマの熱と電子を利用して発電するプラズマ装置。
【請求項３】
請求項１記載のプラズマ装置において、装置内に陰極と陽極を設け、プラズマ発射口から窒素、酸素、水素、アルゴン、ヘリウム、二酸化炭素、ネオンの群より選択される物質を使いプラズマを発生させ、発生したプラズマをコリオリの力を利用して球体のプラズマを半球型のフライホイールの中心部に発生させる。前記、球体のプラズマの熱を利用し、陰極を加熱して、熱電子を放出させ、負の電子を陽極に向かって進行させて、マグネトロンと同様の効果を実施してマイクロ波を発生させ本発明のプラズマ発生に再利用する装置。
【請求項４】
請求項１記載のプラズマ装置において、装置内に電子入力コイルを設け、プラズマ発射口から窒素、酸素、水素、アルゴン、ヘリウム、二酸化炭素、ネオンの群より選択される物質を使いプラズマを発生させ、発生したプラズマをコリオリの力を利用して球体のプラズマを半球型のフライホイールの中心部に発生させる。前記、球体のプラズマから発せられる電子を電子入力コイルに帯電させ、蓄電池に電子を送り、蓄電池を充電する装置。
【手続補正４】
【補正対象書類名】図面
【補正対象項目名】全図
【補正方法】変更
【補正の内容】
【図１】
2012241703.tif 000035
【図２】
2012241703.tif 000036
【図３】
2012241703.tif 000037
【図４】
2012241703.tif 000038
【図５】
2012241703.tif 000039
【図６】
2012241703.tif 000040
【図７】
2012241703.tif 000041
【図８】
2012241703.tif 000042
【図９】
2012241703.tif 000043
【図１０】
2012241703.tif 000044
【図１１】
2012241703.tif 000045
【図１２】
2012241703.tif 000046
【図１３】
2012241703.tif 000047
【図１４】
2012241703.tif 000048